(57)【要約】【課題】移動通信端末機用プラグコネクタを提供する。【解決手段】本発明は、移動通信端末機用コネクタソケットの接続端子と対応するように、所定間隔を置いて備えられる複数の接続ピンと、前記接続ピンを支持する絶縁体と、前記絶縁体を取り囲む外部シェルと、を含む移動通信端末機用プラグコネクタに関し、前記外部シェルは、プリント回路基板の外側面を支持する基板支持部を絶縁体の外側に伸びるように備え、前記基板支持部は、プリント回路基板の側面を取り囲む側面支持部及びプリント回路基板の接地回路に接地されるよう接合される接地部を含む構成により、プリント回路基板と堅固に結合されることができ、外部シェルによるノイズを防止することができる。【選択図】図１
2009176423.tif 000002
【特許請求の範囲】
【請求項１】
移動通信端末機用コネクタソケットの接続端子と対応するように、所定間隔をおいて備えられる複数の接続ピンと、前記接続ピンを支持する絶縁体と、前記絶縁体を取り囲む外部シェルと、を含む移動通信端末機用プラグコネクタにおいて、
前記外部シェルは、プリント回路基板の外側面を支持する基板支持部を絶縁体の外側に延長されるように備えることを特徴とする移動通信端末機用プラグコネクタ。
【請求項２】
前記基板支持部は、前記接続ピンと接続するプリント回路基板の側面を取り囲む側面支持部を含むことを特徴とする請求項１に記載の移動通信端末機用プラグコネクタ。
【請求項３】
前記側面支持部は、
2009176423.tif 000005
に折曲して形成されたことを特徴とする請求項２に記載の移動通信端末機用プラグコネクタ。
【請求項４】
前記基板支持部は、プリント回路基板の接地回路に接地されるよう接合される接地部を含むことを特徴とする請求項２に記載の移動通信端末機用プラグコネクタ。
【請求項５】
前記接地部は、前記側面支持部の一端に外側に伸びて形成されることを特徴とする請求項４に記載の移動通信端末機用プラグコネクタ。
【請求項６】
前記基板支持部は、プリント回路基板の上部面を支持する上部支持部と、プリント回路基板の底面を支持する底面支持部と、を含むことを特徴とする請求項１に記載の移動通信端末機用プラグコネクタ。
【請求項７】
前記絶縁体は、プリント回路基板の一部を収容する基板収容溝を備え、プリント回路基板は、前記基板収容溝に挿入されるよう突出して形成される支持部を備えることを特徴とする請求項１に記載の移動通信端末機用プラグコネクタ。
【請求項８】
前記絶縁体は、前記接続ピンの先端を収容する凹部を備え、前記接続ピンは、コネクタソケットの接続端子と接触する接触部を備え、前記接触部の一側に、前記凹部に挿入されるガイド部が突出形成されることを特徴とする請求項１乃至３のうち何れか一項に記載の移動通信端末機用プラグコネクタ。
【請求項９】
前記接続ピンは、プリント回路基板の外側面と接触する後端折曲部を備え、前記後端折曲部は、前記外部シェルの外部に露出するように備えられることを特徴とする請求項４に記載の移動通信端末機用プラグコネクタ。
【発明の詳細な説明】
【技術分野】
【０００１】
本発明は、移動通信端末機用電気コネクタ、特に、移動通信端末機用プラグコネクタに関する。
【背景技術】
【０００２】
一般に、電気コネクタは、複数の電子機器を電気的に連結するために使われる。特に、移動通信端末機にデータケーブルや電源ケーブルを連結するためのコネクタは、移動通信端末機に備えられるソケットと、ケーブルに備えられてソケットに脱着可能に差し込まれるプラグとで構成される。
【０００３】
従来のプラグコネクタには、特許文献１「接続力を向上させたピンが構成されたピンホルダー」に開示されたように、接続ピンはプリント回路基板の端子に電気的に接続されるだけでなく、プリント回路基板の外側面を支持する機能も有する。よって、接続ピンの数が減少すると、支持力も減少してしまうという問題点があった。
【０００４】
例えば、接続ピンの数が２０個である場合は、プリント回路基板の上部面と底面に、それぞれ１０個の接続ピンに分けて支持することで、接続ピンだけでもプリント回路基板を支持することができる。しかし、４ピンや８ピンの程度に接続ピンの数が減少すると、支持力が大きく低下してしまう。
【０００５】
また、従来は、接続ピンによりプリント回路基板の上部面や底面のみを支持するので、側面の方に動きやすいという問題点があった。
【０００６】
一方、特許文献１によると、ピンが挿入溝に挿入されることが難しくて、側方に動くおそれがあり、それによって隣接する他のピンと短絡しやすいという問題点があった。
【０００７】
さらに、特許文献２に開示された「ピンホルダー」によると、ピンは、後端がＰＣＢの上部面に接触するように折曲したものと、底面に接触するように折曲したものとで、２種類が備えられるが、ピンの後端折曲部が絶縁体の内部に挿入されて結合されることで、ピンの接触先端が後端折曲部の折曲した方に大きく曲がることにより、コネクタソケットの接続端子との接触が容易になる。このようにピンの接触先端が上方を向けて形成されると、コネクタソケットの接続端子が進入して接触先端に当る際、モーメントが大きくなって、接触先端が上がりやすいという問題点があった。
【０００８】
また、従来のプラグコネクタがイヤホンジャックの端子部として使用される場合、プラグコネクタの外部シェルの接地がしっかりできず、ノイズが発生する問題点がある。
【０００９】
一方、従来は、プラグコネクタがプリント回路基板に堅固に結合できないので、ソケットコネクタからプラグコネクタを分離するとき、プラグコネクタがプリント回路基板から分離されやすいという問題点があった。
【特許文献１】大韓民国登録実用新案第４１８０５８号明細書
【特許文献２】大韓民国登録実用新案第４０９５８７号号明細書
【発明の開示】
【発明が解決しようとする課題】
【００１０】
本発明は、上述の問題点に鑑みてなされたもので、その目的は、プリント回路基板を堅固に支持できる移動通信端末機用プラグコネクタを提供することにある。
【００１１】
また、本発明の他の目的は、接続ピンが絶縁体に堅固に結合され、コネクタソケットとの結合時にプラグの先端が上がることを防止することができ、接続ピン間が短絡されることを防止できる移動通信端末機用プラグコネクタを提供することにある。
【００１２】
さらに、本発明のまた他の目的は、外部シェルによるノイズを防止することができる移動通信端末機用プラグコネクタを提供することにある。
【課題を解決するための手段】
【００１３】
前記目的を達成すべく、本発明に係る移動通信端末機用コネクタによれば、移動通信端末機用コネクタソケットの接続端子と対応するように、所定間隔をおいて備えられる複数の接続ピンと、前記接続ピンを支持する絶縁体と、前記絶縁体を取り囲む外部シェルと、を含み、前記外部シェルは、プリント回路基板の外側面を支持する基板支持部を絶縁体の外側に延長されるように備えることを特徴とする。
【００１４】
そして好ましくは、前記基板支持部は、プリント回路基板の側面を取り囲む側面支持部を含むことを特徴とする。
【００１５】
また好ましくは、前記側面支持部は、
2009176423.tif 000003
に折曲して形成されたことを特徴とする。
【００１６】
そして好ましくは、前記基板支持部は、プリント回路基板の接地回路に接地されるよう接合される接地部を含むことを特徴とする。
【００１７】
また好ましくは、前記接地部は、前記側面支持部の一側先端に外側に伸びて形成されることを特徴とする。
【００１８】
そして好ましくは、前記基板支持部は、プリント回路基板の上部面を支持する上部支持部と、プリント回路基板の底面を支持する底面支持部と、を含むことを特徴とする。
【００１９】
また好ましくは、前記絶縁体は、プリント回路基板の一部を収容する基板収容溝を備え、プリント回路基板は、前記基板収容溝に挿入されるよう突出して形成される支持部を備えることを特徴とする。
【００２０】
そして好ましくは、前記絶縁体は、前記接続ピンの先端を収容する凹部を備え、前記接続ピンは、コネクタソケットの接続端子と接触する接触部を備え、前記接触部の一側に、前記凹部に挿入される案内部が突出形成されることを特徴とする。
【００２１】
また好ましくは、前記接続ピンは、プリント回路基板の外側面と接触する後端折曲部を備え、前記後端折曲部は、前記外部シェルの外部に露出するように形成さることを特徴とする。
【発明の効果】
【００２２】
本発明に係る移動通信端末機用プラグコネクタによれば、外部シェルをプリント回路基板に接地して、ノイズを防止することができると共に、プリント回路基板と堅固に結合される効果が得られる。
【００２３】
また、本発明によれば、接続ピンが絶縁体に堅固に結合され、コネクタソケットとの結合の際、接触先端上がることを防止することができ、接触先端が独立的に案内されて、接続ピン間の短絡を防止できるという効果がある。
【発明を実施するための最良の形態】
【００２４】
以下、本発明に係る移動通信端末機用プラグコネクタの好ましい実施の形態を、添付図面に基づき詳細に説明する。
【００２５】
図６及び図７に示すように、本発明に係る移動通信端末機用プラグコネクタは、移動通信端末機用コネクタソケット１００に脱着可能に差し込まれる部品である。通常、コネクタソケット１００は、移動通信端末機のプリント回路基板（ＰＣＢ）に結合され、プラグコネクタは、移動通信端末機に連結しようとする機器のプリント回路基板１に結合される。
【００２６】
図１乃至図７を参照すると、本発明の一実施の形態に係る移動通信端末機用プラグコネクタは、互いに所定間隔を置いて備えられる複数の接続ピン１０、前記接続ピン１０を支持する絶縁体２０、及び前記絶縁体２０を取り囲む外部シェル３０を含む。
【００２７】
前記接続ピン１０は、絶縁体２０により支持されるピン本体１１、前記ピン本体１１の先端から延長されたアーム部１２、前記アーム部１２の先端に細く形成された手首部１３、前記手首部１３の先端から延長された接触部１４、及び前記ピン本体１１の後端から延長された後端折曲部１５を含む（図４参照）。
【００２８】
本実施の形態に係るプラグコネクタは、２０個（１０個×２）の接続ピン１０がプリント回路基板１に接続される。
【００２９】
前記ピン本体１１は、絶縁体２０を貫通して結合される。前記ピン本体１１は、ストッパー１１ａを突出するように備えて、接続ピン１０がプリント回路基板１の方に押されないように支持する。
【００３０】
前記接触部１４は、コネクタソケット１００の接続端子１１０と接触する。前記手首部１３は、アーム部１２と接触部１４の間に細く形成されて、接触部１４がコネクタソケット１００の接続端子１１０と接触する際、接続性を高める。
【００３１】
前記アーム部１２は、弾性的に変形して、前記接触部１４がコネクタソケット１００の接続端子１１０と接触するようにする。
【００３２】
前記絶縁体２０は、接続ピン１０を収容するピン収容溝２１を備え、前記ピン収容溝２１の内側壁の一側に、接続ピン１０に対応する複数の２２が形成されている。
【００３３】
前記接触部１４の一端には、前記凹部２２に挿入されるガイド部１６が、下方へ突出形成されている。
【００３４】
前記ガイド部１６は、接触部１４の下方へ突出形成されることで、常に凹部２２に挿入された状態で、絶縁体２０と結合される。すなわち、前記ガイド部１６は、前記接触部１４がコネクタソケット１００の接続端子１１０と接続されている時だけでなく、接続されていない時も常に凹部２２に挿入されて、接続ピン１０が側方へ動かないようにガイドする。それによって、接続ピン１０が隣接する他の接続ピン１０と短絡しなくなる。
【００３５】
ここで、前記アーム部１２は、ピン本体１１の長さ方向に沿って、真直ぐに延びて形成され、前記接触部１４は、手首部１３よりも上側に突出するだけで、アーム部１２に対して上方へ突出してはいない。そして、前記ガイド部１６が、接触部１４の先端から、手首部１３より下方へ突出している。
【００３６】
したがって、コネクタソケット１００の接続端子１１０がピン収容溝２１に進入して接触部１４と接触する際、ピン本体１１に対するアーム部１２と接触部１４のモーメントが最小化して、接続ピン１０の接触不良となる変形が避けられる。
【００３７】
すなわち、前記接触部１４とガイド部１６が、アーム部１２に対してほぼ直線状に延長線上に形成されると共に、その延長線とコネクタソケット１００の接続端子１１０の進入方向との間に高さの差が小さくて、モーメントが最小化する。
【００３８】
一方、接続ピン１０の後端折曲部１５が、絶縁体２０の外部に突出して結合されることで、ピン本体１１が絶縁体２０の中心に配置されることが可能で、これにより、前記接続ピン１０のアーム部１２の進入方向において、アーム部１２のコネクタソケット１００接続端子１１０のとの高さの差を小さくする。
【００３９】
前記接続ピン１０は、後端折曲部１５の折曲した方向によって、第１接続ピン１０ａと第２接続ピン１０ｂとに分けて備えられる。前記第１接続ピン１０ａは、プリント回路基板１の上部面の方に折曲形成され、前記第２接続ピン１０ｂは、プリント回路基板１の底面の方に折曲形成される。
【００４０】
前記第１接続ピン１０ａは、プリント回路基板１の上部面端子と電気的に接触するだけでなく、上部面を支持し、前記第２接続ピン１０は、プリント回路基板１の底面端子と電気的に接触するだけでなく、底面を支持する。
【００４１】
前記第１接続ピン１０ａと第２接続ピン１０ｂは、それぞれの後端折曲部１５が互いに反対の方向に配置されるが、それぞれのピン本体１１は、等しい高さで絶縁体２０に結合される。上述したように、第１接続ピン１０ａと第２接続ピン１０ｂの各後端折曲部１５が、絶縁体２０の外部に突出することで、それぞれのピン本体１１は、絶縁体２０の中心に位置することが可能となり、これはアーム部１２をピン収容溝２１の中央に位置させるようになる。それによって、アーム部１２の高さをコネクタソケット１００の接続端子１１０の進入高さとほぼ同じく配置することができるようになる。
【００４２】
また、前記後端折曲部１５は、絶縁体２０の外側面により支持されて、接続ピン１０がピン収容溝２１の方に移動しないようにする。
【００４３】
前記外部シェル３０は、シェル本体３１と、プリント回路基板１の外側面を支持する基板支持部とを備えている。
【００４４】
前記シェル本体３１は、絶縁体２０の外側を取り囲んで、絶縁体２０の剛性を高める。
【００４５】
前記基板支持部は、絶縁体２０に対して外側へ突出するように延長されることで、プリント回路基板１の外側面を支持する。
【００４６】
図１及び図８乃至図１０を参照すると、前記基板支持部は、プリント回路基板１の側面を取り囲む側面支持部３２と、プリント回路基板１の上部面を支持する上部支持部３３と、プリント回路基板１の底面を支持する底面支持部３４とを含む。
【００４７】
図８乃至図１０には、８個（４個×２）の接続ピン１０が備えられた場合のプリント回路基板１を支持する構造が示されている。
【００４８】
前記側面支持部３２は、断面が大略
2009176423.tif 000004
で、プリント回路基板１の側面を囲むように形成されている。
【００４９】
すなわち、前記側面支持部３２は、プリント回路基板１の側面に接触して、プリント回路基板版１が側方に移動したり、揺れたりしないように支持する。また、前記側面支持部３２は、プリント回路基板１の上部面と底面のエッジに接触して、前記上部支持部３３及び底面支持部３４と共に、プリント回路基板１が上下方向に揺れないように支持する。
【００５０】
前記上部支持部３３と底面支持部３４は、シェル本体３１の先端から片持ちばり状に延長形成される。また、前記上部支持部３３と底面支持部３４は、プリント回路基板１の方に曲がり弾性的に変形されて、プリント回路基板１を弾性的に支持する。
【００５１】
前記上部支持部３３と底面支持部３４は、各先端がプリント回路基板１の反対側に折曲して伸びることで、プリント回路基板１の出入りを容易にする。
【００５２】
前記側面支持部３２と上部支持部３３との間の空間、及び前記側面支持部３２と底面支持部３４との間の空間には、接続ピン１０が配置される。
【００５３】
図１１乃至図１７を参照して、本発明のまた他の一実施形態に係る移動通信端末機用プラグコネクタについて説明する。
【００５４】
本実施形態の基板支持部は、プリント回路基板１の接地回路２に接地されるよう接合される接地部３５をさらに含む。
【００５５】
前記接地部３５は、前記側面支持部３２の一端に外側に伸びて形成される。図１４、図１５及び図１６に示すように、前記接地部３５は、接地回路２に半田付けにより結合される。このように接地部３５が接地回路２により接地されることで、接地部３５と一体に形成された外部シェル３０が接地される。したがって、外部シェル３０が通電されず、それによりイヤホンジャックとして使用するとき、ノイズの発生を防止することができる。
【００５６】
また、接地部３５が半田付けによりプリント回路基板１に固定結合されることで、外部シェル３０がプリント回路基板１に堅固に結合される。したがって、ソケットコネクタからプラグコネクタを分離するとき、プラグコネクタがプリント回路基板１から分離されることを防止することができる。
【００５７】
本実施形態のプリント回路基板１は、支持部１ａが突出して形成されている。絶縁体２０の一端にはプリント回路基板１の支持部１ａを収容する基板収容溝２５が形成されている。
【００５８】
図１４と図１７に示すように、絶縁体２０の基板収容溝２５にプリント回路基板１の支持部１ａが挿入されて結合されることで、絶縁体２０とプリント回路基板１が揺れず堅固に結合される。すなわち、基板収容溝２５と支持部１ａは、ほぼ四角板形状に形成されて互いに結合されることで、プラグコネクタがプリント回路基板１に対して上下左右に揺れることを防止でき、それと共に、プラグコネクタがプリント回路基板１から分離されることを防止することができる。
【００５９】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６０】
【図１】本発明の一実施の形態に係る移動通信端末機用プラグコネクタを示す斜視図
【図２】図１に図示されたプラグコネクタの側面図
【図３】図２のＡ−Ａ線に沿った概略的な側断面図
【図４】図３に図示された接続ピンの側面図
【図５】図３に図示されたプラグコネクタの側面図
【図６】図３に図示されたプラグコネクタとソケットとの接続状態を図示した概略的な側端面図
【図７】図３に図示されたプラグコネクタとソケットとの接続状態を図示した概略的な側端面図
【図８】本発明の他の実施の形態に係る移動通信端末機用プラグコネクタを図示した一側面図
【図９】本発明の他の実施の形態に係る移動通信端末機用プラグコネクタを図示した一側面図
【図１０】図９の底面図
【図１１】本発明のまた他の一実施形態に係る移動通信端末機用プラグコネクタを示す分解斜視図
【図１２】図１１に図示された移動通信端末機用プラグコネクタの組立てられた状態を示す斜視図
【図１３】図１２の側面図
【図１４】図１２に図示された移動通信端末機用プラグコネクタとプリント回路基板との結合斜視図
【図１５】図１４の側面図
【図１６】図１５のＢ−Ｂ線に沿った側断面図
【図１７】図１５のＣ−Ｃ線に沿った側断面図
【符号の説明】
【００６１】
１０    接続ピン
１０ａ  第１接続ピン
１０ｂ  第２接続ピン
１１    ピン本体
１２    アーム部
１３    手首部
１４    接触部
１５    後端折曲部
１６    ガイド部
２０    絶縁体
２１    ピン収容溝
２２    凹部
２５    基板収容溝
３０    外部シェル
３１    シェル本体
３２    側面支持部
３３    上部支持部
３４    底面支持部
３５    接地部
【図１】
2009176423.tif 000006
【図２】
2009176423.tif 000007
【図３】
2009176423.tif 000008
【図４】
2009176423.tif 000009
【図５】
2009176423.tif 000010
【図６】
2009176423.tif 000011
【図７】
2009176423.tif 000012
【図８】
2009176423.tif 000013
【図９】
2009176423.tif 000014
【図１０】
2009176423.tif 000015
【図１１】
2009176423.tif 000016
【図１２】
2009176423.tif 000017
【図１３】
2009176423.tif 000018
【図１４】
2009176423.tif 000019
【図１５】
2009176423.tif 000020
【図１６】
2009176423.tif 000021
【図１７】
2009176423.tif 000022